(57)【要約】【課題】薄厚且つコンパクトな機構で、ガラス扉閉扉時の衝撃を緩和できる緩衝戸当たりを得る。【解決手段】両開きガラス扉１１の一方の扉１１ａに取り付けられ、閉扉時に当たる他方の扉１１ｂからの衝撃力を緩和する緩衝戸当たり１００であって、一方の扉１１ａの内面に設けられるストライクユニット１００Ｂと、ストライクユニット１００Ｂとによって一方の扉１１ａを挟んで外面に設けられる戸当たりユニットとを備える。戸当たりユニットには、外面に取り付けられる本体ケースと、本体ケースに設けられ他方の扉１１ｂと当たるとともにその衝撃力により所定量後退可能となった戸当たり板と、戸当たり板と斜面同士を当接して後退方向と直交方向に移動される可動ブロックと、可動ブロックの移動方向において可動ブロックと本体ケースの内壁面との間に挟入される弾性体とを設けた。【選択図】      図１
2010037759.tif 000002
【特許請求の範囲】
【請求項１】
両開きガラス扉の一方の扉に取り付けられ、閉扉時に当たる他方の扉からの衝撃力を緩和する緩衝戸当たりであって、
前記一方の扉の内面に設けられ前記他方の扉から突出される錠ボルトを受け入れるストライクユニットと、該ストライクユニットとによって前記一方の扉を挟んで外面に設けられる戸当たりユニットと、を備え、
前記戸当たりユニットが、
前記外面に取り付けられる本体ケースと、
該本体ケースに設けられ前記他方の扉と当たるとともにその衝撃力により所定量後退可能となった戸当たり板と、
該戸当たり板と斜面同士を当接して前記後退方向と直交方向に移動される可動ブロックと、
該可動ブロックの移動方向において該可動ブロックと前記本体ケースの内壁面との間に挟入される弾性体と、
を具備することを特徴とする緩衝戸当たり。
【請求項２】
請求項１記載の緩衝戸当たりであって、
前記戸当たり板の前記斜面が一対のハ字状に形成され、
前記可動ブロックが、該ハ字状斜面のそれぞれに接触する三角柱体状に形成されることを特徴とする緩衝戸当たり。
【請求項３】
請求項１又は請求項２記載の緩衝戸当たりであって、
前記戸当たり板の後退方向において該戸当たり板と前記本体ケースの内壁面との間に背部弾性体が挟入されることを特徴とする緩衝戸当たり。
【請求項４】
請求項１，２，３のいずれか１つに記載の緩衝戸当たりであって、
召合を挟み双方の扉に対称位置で取付穴が形成され、
前記戸当たりユニット及び前記ストライクユニットが扉を挟み前記取付穴に通した固定ボルトにて相互に固定され、
前記戸当たりユニットが、外装ケースを有し、
該外装ケースが、前記ストライクユニットに固定される前記本体ケース及び補強ブロックに固定手段にて固定され、
該固定手段が、前記外装ケースの木口側面を貫通して前記補強ブロックに螺合する木口ネジと、前記外装ケースの木口反対側面に形成された係止孔と、前記本体ケースから突出して内側から該係止孔に係止する係止突起と、
からなることを特徴とする緩衝戸当たり。
【発明の詳細な説明】
【技術分野】
【０００１】
本発明は、両開きガラス扉の一方の扉に取り付けられ、閉扉時に当たる他方の扉からの衝撃力を緩和する緩衝戸当たりに関する。
【背景技術】
【０００２】
近年、ガラス素材の強度向上によって全面ガラス扉が多用されるようになってきている。全面ガラス扉は、例えばオフィスビルの玄関や店舗の入り口に設置される場合、施錠装置を設ける必要がある。従来、この種の全面ガラス扉に施錠装置を設けるには、吊元金具や、上框、下框、或いは中央部に付設した金属枠部に施錠装置を設けるのが一般的であった。
ところが、施錠装置を設けるために金属枠部分を付設するのでは、折角の全面ガラス扉の意匠性を低下させることがあり、好ましくはこれら金属枠部分が設けられない方が良い。
【０００３】
このような不具合を解消するものに、扉ガラス素材に直接穿設した取付穴を利用して、施錠装置のみを全面ガラス扉に取り付けた特許文献１のドア錠が提案されている。
このドア錠によれば、全面ガラス扉に施錠装置を設けるための金属枠部を付設せずに、全面ガラス扉の開閉端にドア錠のみを取り付けでき、全面ガラス扉の意匠性を損ねず、見栄えを向上させることができた。
【特許文献１】特表２００２−５２３６６０号公報
【発明の開示】
【発明が解決しようとする課題】
【０００４】
上記した従来のドア錠は、扉ガラス素材に直接穿設した取付穴を利用して取付けできることから、金属枠部分を付設する場合に比べ、全面ガラス扉の意匠性を低下させずに済む。ところで、両開き扉では、他方の扉から突出されるドア錠（以下、「面付錠」という）の錠ボルトを受け入れるストライクを、一方の扉に固定する必要がある。この場合、他方の扉を、一方の扉に設けた戸当たり板にて当てて、２枚の扉が召し合わされるが、特にガラス素材からなる扉では、閉扉時に当たる他方の扉からの衝撃力を緩和することが望ましい。また、戸当たりにおいても面付錠と同様、ガラス扉に直接取り付けでき、固定ボルト等を表出させないなど、見栄えの良好であることが望まれる。
【０００５】
本発明は上記状況に鑑みてなされたもので、厚みを小さく且つコンパクトな機構で、ガラス扉閉扉時の衝撃を緩和できる緩衝戸当たりを提供し、もって、見栄えを低下させずに、ガラス扉を閉扉衝撃から守ることを目的とする。
【課題を解決するための手段】
【０００６】
次に、上記の課題を解決するための手段を、実施の形態に対応する図面を参照して説明する。
本発明の請求項１記載の緩衝戸当たりは、両開きガラス扉１１の一方の扉１１ａに取り付けられ、閉扉時に当たる他方の扉１１ｂからの衝撃力を緩和する緩衝戸当たり１００であって、
前記一方の扉１１ａの内面に設けられ前記他方の扉１１ｂから突出される錠ボルト１９を受け入れるストライクユニット１００Ｂと、該ストライクユニット１００Ｂとによって前記一方の扉１１ａを挟んで外面に設けられる戸当たりユニット１００Ａと、を備え、
前記戸当たりユニット１００Ａが、
前記外面に取り付けられる本体ケース５９と、
該本体ケース５９に設けられ前記他方の扉１１ｂと当たるとともにその衝撃力により所定量後退可能となった戸当たり板１２１と、
該戸当たり板１２１と斜面１２１ａ，１２３ａ同士を当接して前記後退方向ａと直交方向に移動される可動ブロック１２３と、
該可動ブロック１２３の移動方向において該可動ブロック１２３と前記本体ケース５９の内壁面との間に挟入される弾性体１２５と、
を具備することを特徴とする。
【０００７】
この緩衝戸当たりでは、閉扉時、他方の扉１１ｂが戸当たり板１２１に衝突すると、戸当たり板１２１が後退し、斜面１２１ａ，１２３ａ同士で当接する可動ブロック１２５が後退方向と直交方向に移動される。可動ブロック１２５は、移動方向で、本体ケース５９の内壁面との間に配設された弾性体１２５を圧縮弾性変形させる。その結果、戸当たり板１２１に入力した衝撃力が、可動ブロック１２３を介して弾性体１２５にて吸収される。また、接触した斜面１２１ａ，１２３ａ同士を介して衝撃力が伝達されるので、衝撃力及びその反力が伝達過程で摩擦により熱に変換され、他方の扉１１ｂに反力が戻されることにより生じる周期振動が効果的に減衰される。弾性体１２５が圧縮変形前の状態に復帰することで、可動ブロック１２３を戻し、戸当たり板１２１は後退前の位置に戻される。
【０００８】
請求項２記載の緩衝戸当たりは、請求項１記載の緩衝戸当たりであって、
前記戸当たり板１２１の前記斜面１２１ａ，１２１ａが一対のハ字状に形成され、
前記可動ブロック１２３が、該ハ字状斜面１２１ａ，１２１ａのそれぞれに接触する三角柱体状に形成されることを特徴とする。
【０００９】
この緩衝戸当たりでは、戸当たり板１２１の背面側上下縁が、後退方向ａへ向かって相互に接近して狭まる略先細り形状となるハ字状斜面１２１ａ，１２１ａにて形成され、一対の可動ブロック１２３，１２３がこのハ字状斜面１２１ａ，１２１ａに接し、戸当たり板１２１を挟んで配設される。
【００１０】
請求項３記載の緩衝戸当たりは、請求項１又は２記載の緩衝戸当たりであって、
前記戸当たり板１２１の後退方向ａにおいて該戸当たり板１２１と前記本体ケース５９の内壁面との間に背部弾性体１２７が挟入されることを特徴とする。
【００１１】
この緩衝戸当たりでは、戸当たり板１２１の受けた衝撃力が、一対の可動ブロック１２３，１２３を介して弾性体１２５に伝達されるのに加え、背部弾性体１２７へも直接伝達され、戸当たり板１２１が背部弾性体１２７に当接しながら後退する。
【００１２】
請求項４記載の緩衝戸当たりは、請求項１，２，３のいずれか１つに記載の緩衝戸当たりであって、
召合を挟み双方の扉に対称位置で取付穴２９ａ，２９ｂが形成され、
前記戸当たりユニット１００Ａ及び前記ストライクユニット１００Ｂが扉１１を挟み前記取付穴２９ａ，２９ｂに通した固定ボルト３５にて相互に固定され、
前記戸当たりユニット１００Ａが、外装ケース５５を有し、
該外装ケース５５が、前記ストライクユニット１００Ｂに固定される前記本体ケース５９及び補強ブロック５７に固定手段にて固定され、
該固定手段が、前記外装ケース５５の木口側面を貫通して前記補強ブロック５７に螺合する木口ネジ１１１と、前記外装ケース５５の木口反対側面に形成された係止孔１１３と、前記本体ケース５９から突出して内側から該係止孔１１３に係止する係止突起１１５と、
からなることを特徴とする。
【００１３】
この緩衝戸当たりでは、戸当たりユニット１００Ａとストライクユニット１００Ｂが取付穴２９ａ，２９ｂに通した固定ボルト３５にて扉に直接挟持固定され、枠等の取付用部材が扉１１に不要となる。戸当たりユニット１００Ａが外装ケース５５に覆われ、閉扉状態では木口ネジ１１１も見えなくなる。開扉状態で、木口ネジ１１１が螺合解除されれば、戸当たりユニット１００Ａの外装ケース５５が簡単に外れる。
【発明の効果】
【００１４】
本発明に係る請求項１記載の緩衝戸当たりによれば、戸当たりユニットの本体ケースに、他方の扉と当たるとともにその衝撃力により所定量後退可能となった戸当たり板と、戸当たり板と当接して後退方向と直交方向に移動される可動ブロックと、可動ブロックの移動方向において可動ブロックと本体ケースの内壁面との間に挟入される弾性体とを備えたので、閉扉方向の衝撃力を、扉面と平行な方向に変換し、薄厚且つコンパクトな機構で、ガラス扉閉扉時の衝撃を緩和することができる。この結果、見栄えを低下させることなく、閉扉衝撃からガラス扉を守ることができる。
【００１５】
請求項２記載の緩衝戸当たりによれば、戸当たり板の前記斜面が一対のハ字状に形成され、可動ブロックが、ハ字状斜面のそれぞれに接触する三角柱体状に形成されるので、一対の可動ブロックがハ字状斜面に接し、戸当たり板を挟んで配設され、戸当たり板を安定的に平行移動でき、且つ、受けた衝撃力を複数方向となる直交する２方向に均等に分散することができる。
【００１６】
請求項３記載の緩衝戸当たりによれば、戸当たり板の後退方向において戸当たり板と本体ケースの内壁面との間に背部弾性体が挟入されるので、戸当たり板の受けた衝撃力が、一対の可動ブロックを介して弾性体に伝達されるのに加え、背部弾性体へも直接伝達される。これにより、分散荷重を小さくし、各弾性体の耐久性を向上させることができる。また、戸当たり板が背部弾性体に当接しながら後退するので、戸当たり板をより安定的に平行移動させることができる。これにより、戸当たり板のスムースな後退・後退前位置への復元が可能となる。
【００１７】
請求項４記載の緩衝戸当たりによれば、戸当たりユニットの外装ケースが、本体ケースに固定手段にて固定され、固定手段が、補強ブロックに螺合する木口ネジと、外装ケースの係止孔と、本体ケースから突出して係止孔に係止する係止突起とからなるので、扉に枠を設けることなく、取付穴を利用してガラス扉に直接取り付けでき、意匠性を高めることができる。戸当たりユニットが外装ケースに覆われ、木口ネジのみが扉木口側に見え、この木口ネジも閉扉されることにより隠れるので、戸当たりユニットの扉室外側からの見栄えを良好にできる。また、開扉状態で木口ネジを外すのみで外装ケースが脱着できるので、外装ケース交換等のメンテナンスを容易にできる。
【発明を実施するための最良の形態】
【００１８】
以下、本発明に係る緩衝戸当たりの好適な実施の形態を図面を参照して詳細に説明する。
図１は本発明に係る緩衝戸当たりを備えたガラス扉の正面図、図２は図１のＡ−Ａ矢視図である。
本実施の形態による戸当たりユニット１００Ａは、開閉体である例えば両開きの全面ガラス扉に好適に用いることができる。この他、戸当たりユニット１００Ａは、片開きの全面ガラス扉、両開き・片開きのスチール扉等にも好適に用いることができる。本実施の形態では、戸当たりユニット１００Ａが両開きの全面ガラス扉１１（１１ａ，１１ｂ）に設けられる例を説明する。なお、本実施の形態において、戸当たりユニット１００Ａとストライクユニット１００Ｂは緩衝戸当たり１００を、外装ユニット２００Ａと錠ケースユニット２００Ｂは面付錠２００を構成する。
【００１９】
建物開口の左右には壁１３，１３が設けられる。壁１３，１３に挟まれる出入口開口部には上記した一対の全面ガラス扉１１ａ，１１ｂがヒンジ１５，１５を介して開閉自在に支持されている。全面ガラス扉１１ａ，１１ｂは、例えば一方のガラス扉１１ａが不図示の規制手段にて開閉が規制され、他方のガラス扉１１ｂが室内側（図２の下側）へ開放可能となっている。
【００２０】
全面ガラス扉１１ａ，１１ｂは、他方のガラス扉１１ｂが一方のガラス扉１１ａへ施錠されれば、一対の全面ガラス扉１１ａ，１１ｂの双方は、開閉規制された施錠状態となる。すなわち、他方のガラス扉１１ｂに設けられた面付錠２００が、一方のガラス扉１１ａに設けられたストライクユニット１００Ｂへ施錠する。
【００２１】
ストライクユニット１００Ｂは、面付錠２００から突出する錠ボルト１９の先端を係止可能としている。つまり、一方のガラス扉１１ａが固定されている状態で、他方のガラス扉１１ｂは、錠ボルト１９が緩衝戸当たり１００に係止することで、室内側への開放が規制される。
【００２２】
面付錠２００は、図２に示す外装ユニット２００Ａと、錠ケースユニット２００Ｂと、開閉操作部材であるレバーハンドル２３Ａ，２３Ｂと、レバーハンドル２３Ａ，２３Ｂに並設される施解錠操作部材（サムターン）２５と、シリンダ錠（不図示）と、が外部に表出して設けられている。外装ユニット２００Ａと錠ケースユニット２００Ｂは、横並び一対の取付穴（不図示）を利用して他方のガラス扉１１ｂの開閉端を挟持して取り付けられる。すなわち、レバーハンドル２３Ａ，２３Ｂは、軸３１が取付穴に通される。シリンダ錠、サムターン２５は、取付穴を介して不図示の錠機構に連結される。この他、取付穴には、外装ユニット２００Ａと錠ケースユニット２００Ｂを連結する固定ボルトが通される。
【００２３】
図３は緩衝戸当たりの分離斜視図である。
緩衝戸当たり１００は、上記のように、一方のガラス扉１１ａに固定され、他方のガラス扉１１ｂから突出される面付錠２００の錠ボルト１９を受け入れる。この緩衝戸当たり１００も、召合３３（図１参照）を挟み双方の扉１１ａ，１１ｂに対称位置で形成されたガラス扉１１ａ側の取付穴２９ａ，２９ｂを利用して固定される。緩衝戸当たり１００は、ガラス扉１１ａを挟み取付穴２９ａ，２９ｂに通した固定ボルト３５，３５にて相互に固定される室外側の戸当たりユニット１００Ａと、室内側のストライクユニット１００Ｂからなる。
【００２４】
戸当たりユニット１００Ａには位置決めピン４１，４３が突設され、位置決めピン４１，４３は取付穴２９ａ，２９ｂに通されストライクユニット１００Ｂに嵌合される。これにより、戸当たりユニット１００Ａとストライクユニット１００Ｂの相対位置が定められる。戸当たりユニット１００Ａには加締め固定された雌ネジ筒４５が突設され、雌ネジ筒４５は取付穴２９ａに通され、ストライクユニット１００Ｂを貫通する固定ボルト３５と螺合する。また、戸当たりユニット１００Ａには雌ネジ軸４７，４７が相対回転不能に装着され、雌ネジ軸４７，４７は取付穴２９ｂに配置され、ストライクユニット１００Ｂを貫通する固定ボルト３５，３５と螺合する。
【００２５】
戸当たりユニット１００Ａは、ガラス扉１１ｂとの間にライナー５１（図３参照）を挟んで取り付けられる。また、ストライクユニット１００Ｂも、ガラス扉１１ｂとの間にライナー５３（図３参照）を挟んで取り付けられる。
【００２６】
なお、図３中、４９，４９はバネ支持ピンを示す。バネ支持ピン４９，４９は、本実施の形態とは左右勝手が逆の両開き扉１１の場合、一方のガラス扉１１ａにレバーハンドル２３Ａ，２３Ｂが設けられるときのバネ支持手段となる。したがって、本実施の形態では使用されない。
【００２７】
図４は戸当たりユニットの斜視図、図５は戸当たりユニットの分解斜視図である。
戸当たりユニット１００Ａは、外殻の外装ケース５５（図２参照）を有する。外装ケース５５は、補強ブロック５７と一体固定される本体ケース５９を覆う。補強ブロック５７には戸当たり枠部材６３が固定される。ストライクユニット１００Ｂは、外殻の外装ケース６７（図２参照）を有する。外装ケース６７は、補強ブロック（不図示）と一体固定される本体ケース７１（図３参照）を覆う。
【００２８】
戸当たりユニット１００Ａの補強ブロック５７は、亜鉛ダイカスト製で、成型時のヒケ（凹状成形不良）防止の凹部６１ａ，６１ｂ，６１ｃ，６１ｄを有する。補強ブロック５７の木口側には戸当たり枠部材６３の固定される固定座８７が形成される。戸当たりユニット１００Ａの外装ケース５５は、固定手段にて固定される。固定手段は、外装ケース５５の木口側面を貫通して補強ブロック５７に螺合する木口ネジ１１１と、外装ケース５５の木口反対側面に形成された係止孔１１３（図２参照）と、本体ケース５９から突出して係止孔１１３に係止する係止突起１１５（図３参照）と、を有する。
【００２９】
戸当たりユニット１００Ａとストライクユニット１００Ｂは、それぞれの本体ケース５９，７１に固定された補強ブロック５７が、固定ボルト３５，３５にて相互に固定される。これにより、戸当たりユニット１００Ａ、ストライクユニット１００Ｂが、金属等の高剛性の補強ブロック同士で扉に固定でき、取付強度を高め、信頼性、防犯性を向上できる。また、扉室内側となるストライクユニット側の補強ブロックから取付穴２９ａに通した固定ボルト３５を扉室外側の戸当たりユニット１００Ａの補強ブロック５７側に螺合することで、外装ケース５５が外されても、扉室外側には固定ボルトや、螺合部が表出しないようにでき、防犯性を高めることができる。
【００３０】
緩衝戸当たり１００は、一方の扉１１ａに取り付けられ、閉扉時に当たる他方の扉１１ｂからの衝撃力を緩和する。衝撃力緩和の主要機構は、戸当たりユニット１００Ａに内蔵される。すなわち、戸当たりユニット１００Ａの本体ケース５９には、図５に示すように、戸当たり板１２１と、可動ブロック１２３，１２３と、弾性体１２５，１２５とが設けられる。戸当たり板１２１は、戸当たり枠部材６３内に収容され、他方の扉１１ｂと当たるとともに、その衝撃力により矢印ａ方向（図９参照）所定量後退可能となっている。なお、戸当たり板１２１は、ゴム等の弾性部材にて形成することができる。可動ブロック１２３は樹脂材料、或いはゴム等の弾性部材にて形成することができる。また、本実施の形態では、戸当たり板１２１の後退方向において、戸当たり板１２１と本体ケース５９の内壁面との間に背部弾性体１２７が挟入される。なお、弾性体１２５，１２５と背部弾性体１２７とは、多孔性弾性部材、ゴムスポンジなど緩衝性を有する素材で構成される。
【００３１】
本実施の形態では、補強ブロック５７が本体ケース５９によって覆われる。つまり、本体ケース５９内に補強ブロック５７が収容される。したがって、弾性体１２５，１２５、背部弾性体１２７は、補強ブロック５７を介して本体ケース５９の内壁面に当接する。弾性体１２５，１２５、背部弾性体１２７は、補強ブロック５７を省略して本体ケース５９の内壁面に直接当接しても勿論よい。但し、本実施の形態のように、高剛性の補強ブロック５７内で可動ブロック１２３，１２３、弾性体１２５，１２５、背部弾性体１２７を隔離して収容すれば、衝撃力を他部材に影響を与えることなく吸収することができ、ユニット全体の耐久性を高めることができる。なお、図５中、１５１は補強ブロック５７に加締め固定される固定柱、１５３はケース蓋（不図示）を固定するネジ、１５５は同じくケース蓋を固定するネジを示す。
【００３２】
図６は戸当たりユニットの平断面図、図７は戸当たりユニットの扉側から見た正面図、図８は図７のＢ−Ｂ矢視図である。
戸当たり板１２１の斜面１２１ａ，１２１ａは、一対のハ字状に形成される。また、可動ブロック１２３，１２３は、ハ字状斜面１２１ａ，１２１ａのそれぞれに接触する三角柱体状に形成されている。すなわち、図８に示すように、戸当たり板１２１の背面側上下縁が、後退方向へ向かって相互に接近して狭まる略先細り形状のハ字状斜面１２１ａ，１２１ａにて形成され、一対の可動ブロック１２３，１２３がこのハ字状斜面１２１ａ，１２１ａに接し、戸当たり板１２１を上下から挟んで配設される。
【００３３】
これにより、戸当たり板１２１を安定的に平行移動でき、且つ、受けた衝撃力を複数方向、すなわち直交する２方向に均等に分散することができるようになっている。なお、図示は省略するが、可動ブロック１２３は、さらに複数に分割して増設することができる。また、増設する可動ブロックの方向は、可動ブロック１２３の移動方向に直交する方向（図７の左右方向）としてもよい。
【００３４】
本実施の形態による戸当たりユニット１００Ａでは、戸当たり板１２１の受けた衝撃力が、一対の可動ブロック１２３，１２３を介して弾性体１２５，１２５に伝達されるのに加え、背部弾性体１２７へも直接伝達され、戸当たり板１２１が背部弾性体１２７に当接しながら後退する。つまり、戸当たり板１２１の受けた衝撃力が、背部弾性体１２７へも直接伝達される。これにより、分散荷重を小さくし、各弾性体の耐久性を向上させることができる。また、戸当たり板１２１が背部弾性体１２７に当接しながら後退するので、戸当たり板１２１をより安定的に平行移動させることができる。これにより、戸当たり板１２１のスムースな後退・後退前位置への復元が可能となっている。
【００３５】
なお、戸当たり板１２１がゴム等の弾性部材よりなる場合、戸当たり板１２１自身も圧縮方向に弾性変形して衝撃力を吸収する。この際、戸当たり板１２１は、圧縮方向（後退方向）と直交する方向へも拡大変形する。そのため、戸当たり枠部材６３と戸当たり板１２１との間にはこの拡大変形を許容する間隙１２９，１２９（図７参照）が形成される。
【００３６】
次に、上記緩衝戸当たり１００の組み付け手順を説明する。
戸当たりユニット１００Ａは、補強ブロック５７、本体ケース５９を予め組み付けておく。また、ストライクユニット１００Ｂも、補強ブロック、本体ケース７１を予め組み付けておく。
【００３７】
次いで、取付穴２９ａ，２９ｂに、通した本体ケース５９の位置決めピン４１，４３を、ストライクユニット１００Ｂの本体ケース７１に一致させる。本体ケース７１から挿通した固定ボルト３５，３５，３５を、本体ケース５９の雌ネジ筒４５、雌ネジ軸４７，４７に螺合する。これにより、戸当たりユニット１００Ａとストライクユニット１００Ｂは、ガラス扉１１ｂに挟持固定される。
【００３８】
次いで、係止突起１１５に、外装ケース５５の係止孔１１３を係合する。戸当たり枠部材６３を、補強ブロック５７の固定座８７に組み付け、外装ケース５５に通した木口ネジ１１１で固定する。これにより、戸当たりユニット１００Ａは、外装ケース５５に覆われるとともに、戸当たり枠部材６３の取付が完了する。
【００３９】
このように、戸当たりユニット１００Ａとストライクユニット１００Ｂが取付穴２９ａ，２９ｂに通した固定ボルト３５，３５にて扉に直接挟持固定でき、枠等の取付用部材が扉に不要となる。戸当たりユニット１００Ａが外殻の外装ケース５５に覆われ、閉扉状態では木口ネジ１１１も見えなくなる。面付錠２００と、戸当たりユニット１００Ａ及びストライクユニット１００Ｂが、左右逆扉に取付可能となる。開扉状態で、木口ネジ１１１が螺合解除されれば、戸当たりユニット１００Ａの外装ケース５５が簡単に外れるようになっている。
【００４０】
次に、上記構成を有する戸当たりユニット１００Ａの作用を説明する。
図９は戸当たり部を拡大した平断面図である。
閉扉時、他方の扉１１ｂの扉開閉端が戸当たり板１２１に衝突すると、戸当たり板１２１が矢印ａ方向に後退し、戸当たり板１２１の斜面１２１ａに、斜面１２３ａで当接する可動ブロック１２３が後退方向と直交方向である図８に示す上下方向に移動される。可動ブロック１２３，１２３は、移動方向で、本体ケース５９、本実施の形態では補強ブロック５７の内壁面との間に配設された弾性体１２５，１２５、背部弾性体１２７を圧縮弾性変形させる。その結果、戸当たり板１２１に入力した衝撃力が、可動ブロック１２３，１２３を介して弾性体１２５，１２５、背部弾性体１２７にて吸収される。
【００４１】
また、接触した斜面１２１ａ，１２３ａ同士を介して衝撃力が伝達されるので、衝撃力及びその反力が伝達過程で、摩擦により熱に変換される。これにより、他方の扉１１ｂに反力が戻されることにより生じる周期振動（閉扉衝撃によるガタツキ）が効果的に減衰される。弾性体１２５，１２５、背部弾性体１２７が圧縮変形前の状態に復帰することで、可動ブロック１２３，１２３を戻し、戸当たり板１２１は後退前の位置に戻されることとなる。
【００４２】
したがって、上記戸当たりユニット１００Ａによれば、戸当たりユニット１００Ａの本体ケース５９に、他方の扉１１ｂと当たるとともにその衝撃力により所定量後退可能となった戸当たり板１２１と、戸当たり板１２１と当接して後退方向と直交方向に移動される可動ブロック１２３，１２３と、可動ブロック１２３，１２３の移動方向において可動ブロック１２３，１２３と本体ケース５９の内壁面との間に挟入される弾性体１２５，１２５、背部弾性体１２７とを備えたので、閉扉方向の衝撃力を、扉面と平行な方向に変換し、厚みが小さくすなわち薄厚となり且つコンパクトな機構で、ガラス扉閉扉時の衝撃を緩和することができる。この結果、見栄えを低下させることなく、閉扉衝撃からガラス扉１１を守ることができる。
【図面の簡単な説明】
【００４３】
【図１】本発明に係る緩衝戸当たりを備えたガラス扉の正面図である。
【図２】図１のＡ−Ａ矢視図である。
【図３】緩衝戸当たりの分離斜視図である。
【図４】戸当たりユニットの斜視図である。
【図５】戸当たりユニットの分解斜視図である。
【図６】戸当たりユニットの平断面図
【図７】戸当たりユニットの扉側から見た正面図
【図８】図７のＢ−Ｂ矢視図である。
【図９】戸当たり部を拡大した平断面図である。
【符号の説明】
【００４４】
１１…ガラス扉
１１ａ…一方の扉
１１ｂ…他方の扉
１９…錠ボルト
２９ａ，２９ｂ…取付穴
３３…召合
３５…固定ボルト
５５…外装ケース
５７…補強ブロック
５９…本体ケース
１００…緩衝戸当たり
１００Ａ…戸当たりユニット
１００Ｂ…ストライクユニット
１１１…固定手段（木口ネジ）
１１３…固定手段（係止孔）
１１５…固定手段（係止突起）
１２１…戸当たり板
１２１ａ，１２３ａ…斜面同士
１２３…可動ブロック
１２５…弾性体
１２７…背部弾性体
ａ…戸当たり板の後退方向
【図１】
2010037759.tif 000003
【図２】
2010037759.tif 000004
【図３】
2010037759.tif 000005
【図４】
2010037759.tif 000006
【図５】
2010037759.tif 000007
【図６】
2010037759.tif 000008
【図７】
2010037759.tif 000009
【図８】
2010037759.tif 000010
【図９】
2010037759.tif 000011